(57)【要約】【課題】エッジライト方式の照明器具において、所望の照明範囲や照明方向に変更可能で、不使用時には邪魔にならないような形態とすることのできる照明器具を提供する。【解決手段】光源と、光源からの光を端面から入射させ導光する可撓性を有する導光シートと、導光シートの撓み状態を維持する撓み維持部材を有し、導光シートの光源からの光が入射する端面が変形しないよう固定した状態で導光シートを撓ませ、撓み維持部材により撓み状態を維持させるよう構成した照明器具とする。【選択図】図４
2012064441.tif 000002
【特許請求の範囲】
【請求項１】
光源と、
前記光源からの光を端面から入射させ導光する可撓性を有する導光シートと、
前記導光シートの撓み状態を維持する撓み維持部材を有し、
前記導光シートの前記光源からの光が入射する端面が変形しないよう固定した状態で前記導光シートを撓ませ、前記撓み維持部材により撓み状態を維持させるよう構成したことを特徴とする照明器具。
【請求項２】
前記光源がＬＥＤであることを特徴とする請求項１に記載の照明器具。
【請求項３】
前記導光シートが撓み状態となされた際に、前記光源を発光させることを特徴とする請求項１又は２に記載の照明器具。
【請求項４】
前記撓み維持部材は、一方の端部に磁石が配置された棒状の部材であり、
前記導光シートの面に対向して磁性体の板が配置されていることを特徴とする請求項１から３までの何れか一項に記載の照明器具。
【請求項５】
前記磁性体側に前記磁石の位置を検知するセンサが配置され、該センサにより検知した位置に基づいて、光量及び色調の少なくとも一方を変化させることを特徴とする請求項４に記載の照明器具。
【請求項６】
前記撓み維持部材は、多関節のフレキシブルなアーム部材であることを特徴とする請求項１から３までの何れか一項に記載の照明器具。
【請求項７】
前記アーム部材の内部に、連通したワイヤと該ワイヤを引っ張るバネ部材が配置されていることを特徴とする請求項６に記載の照明器具。
【請求項８】
前記アーム部材の内部に、中心からオフセットした位置に形状記憶合金製のワイヤが配置されていることを特徴とする請求項６に記載の照明器具。
【請求項９】
前記撓み維持部材は、形状記憶合金で形成されたワイヤであることを特徴とする請求項１から３までの何れか一項に記載の照明器具。
【請求項１０】
前記撓み維持部材は、初期状態が撓んだ状態の板状の部材であることを特徴とする請求項１から３までの何れか一項に記載の照明器具。
【請求項１１】
前記撓み維持部材は、電極接合型イオン導電性高分子アクチュエータ又はバイモルフ型板状アクチュエータであることを特徴とする請求項１から３までの何れか一項に記載の照明器具。
【発明の詳細な説明】
【技術分野】
【０００１】
本発明は照明器具、特にエッジライト方式の照明器具に関するものである。
【背景技術】
【０００２】
従来より、エッジライト方式の照明器具が知られている。
【０００３】
エッジライト方式の照明器具として、導光板の一端面からＬＥＤの光を導光板内に入射させ、導光板内を全反射させて導き、導光板に点在させた拡散部により外へ出射させるものが知られている（例えば、特許文献１参照）。
【０００４】
このようなエッジライト方式のＬＥＤ照明器具において、ＬＥＤの光を薄い導光板の端面に効率よく導く為に、ＬＥＤ発光面の面方向と導光板の入射面の面方向が交差するように配置し、ＬＥＤの光を反射部材で反射させて導光板に入射させるものが知られている（例えば、特許文献２参照）。
【０００５】
一方、ＬＥＤを面状に配置した灯部と、灯部を取り付ける取り付け部と、基部とを備え、取り付け部を着脱可能にして、電気スタンドとした使用形態やフットライト等の壁掛け型の形態に変更可能とした照明器具も知られている（例えば、特許文献３参照）。
【先行技術文献】
【特許文献】
【０００６】
【特許文献１】特開平６−３１２６００号公報
【特許文献２】特開２００７−８０５３１号公報
【特許文献３】特開２００９−３０１８０６号公報
【発明の概要】
【発明が解決しようとする課題】
【０００７】
エッジライト方式のＬＥＤ照明器具において、導光板に可撓性を有する部材を用いて、所望の照明範囲や配光方向を変更可能とし、不使用時には邪魔にならないような形態となるものが要望されている。
【０００８】
このような要望に対し、上記特許文献１、２には照明範囲や配光方向の変更や不使用時の形態に関しては、何ら考慮されておらず、また上記特許文献３に記載のような構成は、可撓性を有する導光板は柔らかく形状が不安定であるため不向きである。
【０００９】
本願発明は上記問題に鑑み、エッジライト方式の照明器具において、所望の照明範囲や照明方向に変更可能で、不使用時には邪魔にならないような形態とすることのできる照明器具を提供することを目的とするものである。
【課題を解決するための手段】
【００１０】
上記の目的は、下記の構成により達成される。
【００１１】
（１）光源と、前記光源からの光を端面から入射させ導光する可撓性を有する導光シートと、前記導光シートの撓み状態を維持する撓み維持部材を有し、前記導光シートの前記光源からの光が入射する端面が変形しないよう固定した状態で前記導光シートを撓ませ、前記撓み維持部材により撓み状態を維持させるよう構成したことを特徴とする照明器具。
【００１２】
（２）前記光源がＬＥＤであることを特徴とする前記（１）に記載の照明器具。
【００１３】
（３）前記導光シートが撓み状態となされた際に、前記光源を発光させることを特徴とする前記（１）又は（２）に記載の照明器具。
【００１４】
（４）前記撓み維持部材は、一方の端部に磁石が配置された棒状の部材であり、前記導光シートの面に対向して磁性体の板が配置されていることを特徴とする前記（１）から（３）までの何れかに記載の照明器具。
【００１５】
（５）前記磁性体側に前記磁石の位置を検知するセンサが配置され、該センサにより検知した位置に基づいて、光量及び色調の少なくとも一方を変化させることを特徴とする前記（４）に記載の照明器具。
【００１６】
（６）前記撓み維持部材は、多関節のフレキシブルなアーム部材であることを特徴とする前記（１）から（３）までの何れかに記載の照明器具。
【００１７】
（７）前記アーム部材の内部に、連通したワイヤと該ワイヤを引っ張るバネ部材が配置されていることを特徴とする前記（６）に記載の照明器具。
【００１８】
（８）前記アーム部材の内部に、中心からオフセットした位置に形状記憶合金製のワイヤが配置されていることを特徴とする前記（６）に記載の照明器具。
【００１９】
（９）前記撓み維持部材は、形状記憶合金で形成されたワイヤであることを特徴とする前記（１）から（３）までの何れかに記載の照明器具。
【００２０】
（１０）前記撓み維持部材は、初期状態が撓んだ状態の板状の部材であることを特徴とする前記（１）から（３）までの何れかに記載の照明器具。
【００２１】
（１１）前記撓み維持部材は、電極接合型イオン導電性高分子アクチュエータ又はバイモルフ型板状アクチュエータであることを特徴とする前記（１）から（３）までの何れかに記載の照明器具。
【発明の効果】
【００２２】
本発明によれば、エッジライト方式の照明器具において、所望の照明範囲や照明方向に変更可能で、不使用時には邪魔にならないような形態とすることのできる照明器具を提供することが可能となる。
【図面の簡単な説明】
【００２３】
【図１】本実施の形態に係る照明器具の概要を示す斜視図である。
【図２】本実施の形態に係る照明器具の構造の一例を示す図である。
【図３】束ね部材のベース部材との接離を検知する他の例を示す図である。
【図４】撓み維持部材の第１の形態を示す図である。
【図５】図４に示す第１の形態の変形例を示す斜視図である。
【図６】撓み維持部材の第２の形態を示す図である。
【図７】第２の形態の撓み維持部材であるアーム部材の構造を示す図である。
【図８】図７に示す第２の形態の変形例を示す図である。
【図９】撓み維持部材の第３の形態を示す図である。
【図１０】撓み維持部材の第４及び第５の形態を示す図である。
【図１１】本実施の形態に係る照明器具に付加される機能例を示す図である。
【発明を実施するための形態】
【００２４】
以下、実施の形態により本発明を詳しく説明するが、本発明はこれに限定されるものではない。
【００２５】
図１は、本実施の形態に係る照明器具１の概要を示す斜視図である。図１（ａ）は照明ＯＦＦ時の状態、図１（ｂ）は照明ＯＮ時の状態、図１（ｃ）は照明ＯＮ時の照明方向を示す図である。
【００２６】
同図に示すように、本実施の形態に係る照明器具１は大別して、基体部１０と光源部２０と、照明シート部３０と、シート束ね部４０で構成されている。
【００２７】
同図（ａ）に示すように、照明器具１の照明シート部３０が基体部１０に略平行な状態となされ、全体として平板状となされているときは照明ＯＦＦとなる。
【００２８】
照明シート部３０は可撓性を有しており、同図（ｂ）に示すように、シート束ね部４０を基体部１０から離間させると光源部２０内の光源が発光し、この光は照明シート部３０の導光シート内を伝搬し、該導光シートに形成された拡散部により導光シート外に射出され照明を行うようになっている。
【００２９】
本実施の形態に係る照明器具１は、同図（ｃ）に示すように、照明シート部３０の基体部１０側の面から照明光が射出されるようになっている。
【００３０】
図２は、本実施の形態に係る照明器具１の構造の一例を示す図である。図２（ａ）は照明器具１の側面図、図２（ｂ）は光源部２０周辺（図２（ａ）に示すＸ部）の拡大断面図、図２（ｃ）はシート束ね部４０周辺（図２（ａ）に示すＹ部）の拡大断面図である。
【００３１】
同図（ａ）に示すように、本実施の形態に係る照明器具１の照明シート部３０は可撓性を有して形成されており、実線で示す照明ＯＦＦ時の状態と破線で示す照明ＯＮ時の状態を取り得るようになっている。
【００３２】
同図（ｂ）に示すように、光源部２０の光源部カバー２１内にはＬＥＤ２２が、紙面表裏方向に複数個配置される。導光シート３２は、その端面がＬＥＤ２２の発光部に対向するように配置される。導光シート３２の両面にはスペーサ２３を介して、基体部１０側に拡散シート３３、外面側に反射シート３１が配置されている。
【００３３】
導光シート３２は、可撓性を有する略透明のシートであり、ＬＥＤ２２からの光が空気との境界面で全反射するよう表面が滑面で形成されている。また、導光シート３２の反射シート３１側の面には、印刷等による拡散反射部３２ａが点在して形成されている。この拡散反射部３２ａにより、導光シート３２内部で全反射した光は拡散反射され、導光シート３２の基体部１０側の面から出射されるようになっている。
【００３４】
反射シート３１には、導光シート３２側の面に反射面３１ａが形成され、外面側の面にはデザイン上の各種パターンが選択して形成される。この反射面は、導光シート３２から反射シート３１側に漏れ出る光を、導光シート３２方向に反射させるものである。なお、導光シート３２側の外面側の面に反射面、デザイン上の各種パターンの順に積層してもよい。
【００３５】
拡散シート３３は、導光シート３２から出射される光及び反射シート３１で反射され導光シート３２を通過した光を拡散させ、基体部１０側に出射させるものである。拡散シート３３は、例えば、少なくとも何れか一方の面に粗し面が形成されているものであり、この拡散シート３３により照明ムラをより少なくし、均一な照明面とするものである。
【００３６】
同図（ｂ）に示すように、内部にＬＥＤ２２が配置された光源部カバー２１は、反射シート３１、導光シート３２、拡散シート３３及びスペーサ２３と共に、ネジ等の固定部材２４により、基体部１０に固定されている。これにより、光源であるＬＥＤ２２からの光が入射する導光シート３２の端面は、変形できないように固定される。固定部材２４は、光源部カバー２１の両側端部及び中央部の３点程度で固定することが好ましい。また、固定部材２４の位置は、導光シート３２に入射後のＬＥＤ２２からの光を遮らないよう、ＬＥＤ２２の正面位置から、ずれて配置されていることが好ましい。また、固定部材２４によって導光シート３２の両端部で固定すると共に、間の領域である中央部には導光シート３２の一方の面側に磁石を配置し、他方の面側に磁性体の板を配置して、磁力により導光シート３２を挟持するようにしてもよい。この場合には、ＬＥＤ２２からの光を遮ることがなく、より好ましい。
【００３７】
なお、本実施の形態では、この反射シート３１、導光シート３２及び拡散シート３３をまとめて照明シート部３０と称しているが、反射シート３１及び拡散シート３３は、照明シート部３０としては必須ではなく、導光シート３２のみや、導光シート３２と反射シート３１及び拡散シート３３の何れか一方を備えているものであってもよい。
【００３８】
また、同図（ｃ）に示すように、照明シート部３０の光源部２０と対向する側の端部には、シート束ね部４０が設けられている。シート束ね部４０は、束ね部材４１、磁石４５、導光シートを固定する固定部材４４で構成されている。
【００３９】
図示の如く、導光シート３２と束ね部材４１は、ネジ等の固定部材４４により固定される。一方、反射シート３１及び拡散シート３３の端面部は、束ね部材４１に形成された長溝に挿入されており、固定されていない状態となっている。更に、長溝部の底面は、反射シート３１及び拡散シート３３の端面より空間４６を有するよう深く形成されており、導光シート３２を含む照明シート部３０が撓んだ際に、反射シート３１及び拡散シート３３の端面が長溝部の底面に当接しないようになっている。
【００４０】
束ね部材４１の基体部１０側には、磁石４５が埋設されている。また、基体部１０のベース部材１１には、図示のごとく、磁性体１４が埋設されている。束ね部材４１は、この磁石４５と磁性体１４の吸引力により、照明器具１は全体として平板状の形態を維持できるようになっている。
【００４１】
また、ベース部材１１内には、束ね部材４１がベース部材１１と当接或いは極めて近接した状態となっているか否かを判別するスイッチ切片１２及び導電パターンの形成された基板１３が設けられている。スイッチ切片１２及び導電パターンは、不図示の制御部に接続されている。
【００４２】
スイッチ切片１２は、軸１７を回動軸として回動可能に構成され、基板１３とは離れる方向に圧縮コイルバネ１６により付勢されている。更に、スイッチ切片１２には、磁性体１５が固着されている。束ね部材４１がベース部材１１と当接或いは極めて近接した状態になると、磁性体１５が磁石４５により吸引され、スイッチ切片１２は、圧縮コイルバネ１６の付勢力に抗して基板１３に接触する。これにより、不図示の制御部は、照明器具１は全体として平板状の形態となったことを検知し、光源であるＬＥＤの発光を停止させるようになっている。
【００４３】
一方、束ね部材４１がベース部材１１から離間すると、磁性体１５への吸引力が低下し、スイッチ切片１２は、圧縮コイルバネ１６の付勢力により基板１３から離れる。これにより、不図示の制御部は、照明シート部３０が撓んだ形態となったことを検知し、光源であるＬＥＤの発光を開始させるようになっている。
【００４４】
図３は、束ね部材４１のベース部材１１との接離を検知する他の例を示す図である。本例は、図２（ｃ）と異なる部分についてのみ説明する。
【００４５】
図示のように、ベース部材１１には穴部１１ａが形成され、束ね部材４１には該穴部１１ａに対応する位置に突起部４１ｔが形成されている。また、圧縮コイルバネ１６がスイッチ切片１２を基板１３方向に付勢するよう配置されている。
【００４６】
このような構成で、束ね部材４１がベース部材１１と当接或いは極めて近接した状態になると、突起部４１ｔがスイッチ切片１２を押し上げ、スイッチ切片１２は基板１３と離間する。これにより、不図示の制御部は、照明シート部３０が平板状の形態となったことを検知し、光源であるＬＥＤの発光を停止させる。
【００４７】
一方、束ね部材４１がベース部材１１から離間すると、突起部４１ｔが穴部１１ａから退避し、圧縮コイルバネ１６の付勢力により、スイッチ切片１２が基板１３に接触する。これにより、不図示の制御部は、照明シート部３０が撓んだ形態となったことを検知し、光源であるＬＥＤの発光を開始させるように構成しても良い。
【００４８】
以上のような照明器具１の照明シート部３０の撓み状態を維持させる撓み維持部材の構成について以下に説明する。
【００４９】
図４は、撓み維持部材の第１の形態を示す図である。図４（ａ）は照明ＯＮ時の状態を示す側面図、図４（ｂ）は照明ＯＮ時の斜視図、図４（ｃ）は照明ＯＦＦ時の状態を示す側面図である。
【００５０】
第１の形態は、同図（ａ）、（ｂ）に示すように、照明シート部３０の撓み状態を維持させる撓み維持部材に、棒状部材５１を用いたものである。
【００５１】
棒状部材５１は、一方の端部に磁石５２が形成され、他方の端部が束ね部材４１に固定されている。また、ベース部材１１には、板状の磁性体８０が設けられ、棒状部材５１に形成された磁石５２の吸引力により、磁性体８０上の任意の位置で一方の端部を係止させることができるようになっている。これにより、照明シート部３０の撓み状態を任意に設定できるようになっている。
【００５２】
また、照明ＯＦＦ時には、同図（ｃ）に示すように、照明シート部３０とベース部材１１の間に予め形成されている空間８１（図２（ｂ）参照）に収められるようになっている。
【００５３】
図５は、図４に示す第１の形態の変形例を示す斜視図である。図５に示す照明装置は、棒状部材５１の先端の磁石５２の磁性体８０上の位置を検知し、検知した位置に対応して光量及び色調の少なくとも一方を変化させるようにしたものである。
【００５４】
同図に示すように、磁性体８０を複数の領域（図示では８０ａ〜８０ｉの９領域）に分割し、磁石５２の位置がいずれの領域に有るかを検知し、光量や色調を変化させる。
【００５５】
磁石５２の検知は、例えば磁性体８０の裏面側に各領域に対応してホール素子を配置し、該ホール素子の出力から磁石の位置を検出する方法や、磁性体８０の表面にタッチパネルの構成を形成する方法等、公知のものを用いることができる。
【００５６】
検出した磁石５２の磁性体８０上の位置による対応としては、例えば、検出された磁石５２の位置が図示の領域８０ａ、８０ｂ、８０ｃの場合に光量を最も少なくし、領域８０ｇ、８０ｈ、８０ｉの場合に光量を最も多くし、領域８０ｄ、８０ｅ、８０ｆの場合に光量をその中間としてもよい。また、領域８０ａ、８０ｄ、８０ｇ及び８０ｃ、８０ｆ、８０ｉの場合に電球色とし、領域８０ｂ、８０ｅ、８０ｈの場合に昼白色としてもよい。なお、光量、色調の変更制御はこれに限るものでないのはもちろんである。
【００５７】
図６は、撓み維持部材の第２の形態を示す図である。
【００５８】
同図に示す第２の形態は、照明シート部３０とベース部材１１の間に予め形成されている空間８１（図２（ｂ）参照）に多関節のフレキシブルなアーム部材６０を配置したものである。
【００５９】
同図に示すように、アーム部材６０は、光源部２０側の不図示の部材と束ね部材４１に固定された保持部材４２とで支持されており、図示の如く湾曲することで、照明シート部３０を撓ませ、該撓み状態を維持させるようになっている。
【００６０】
図７は、第２の形態の撓み維持部材であるアーム部材６０の構造を示す図である。
【００６１】
アーム部材６０は、関節部材６１が連接されており、内部にはワイヤ６３と、該ワイヤ６３に連設された引っ張りコイルバネ６４と、該引っ張りコイルバネ６４の伸び量を規制するためのストッパ６５が設けられている。ワイヤ６３と引っ張りコイルバネ６４は、一方で保持部材４２を貫通して抓み部材６２と繋がり、他方で光源部２０に形成された固定部材２５を貫通して係止部材と繋がっている。このため関節部材６１は、引っ張りコイルバネ６４の付勢力により、それぞれが大きな摩擦力で接触した状態となり、現形状を維持することができる。
【００６２】
照明シート部３０を撓ませるには、抓み部材６２を引っ張り、引っ張りコイルバネ６４を伸長させ、関節部材６１相互の摩擦力を減少させた状態とする。さらに、抓み部材６２を所望の方向に移動させた後、抓み部材６２から手を離せば、引っ張りコイルバネ６４の付勢力により関節部材６１には相互に大きな摩擦力が働き、図６に示すような状態を維持させることができる。また、関節部材６１を直接的に手で湾曲させてもよい。
【００６３】
図８は、図７に示す第２の形態の変形例を示す図である。図８（ａ）は平面断面図、図８（ｂ）は側断面図である。本例は、図７に示す、ワイヤ６３及び引っ張りコイルバネ６４の機能をワイヤ状の形状記憶合金６６に置き換えたものである。
【００６４】
図８（ａ）に示すように、関節部材６１の内部にはワイヤ状の形状記憶合金６６が、滑車６７を介して張架されている。また、図８（ｂ）に示すように、形状記憶合金６６は、関節部材６１の中心線（一点鎖線で示す）から、照明シート部３０側にオフセットして張架されている。形状記憶合金６６に通電しないときの張力は、関節部材６１が自由状態もしくは相互の摩擦力が極めて低い状態に設定されている。
【００６５】
このような状態から、形状記憶合金６６に通電を行うと、形状記憶合金６６が自身の発する熱により高温となり収縮し、オフセットして張架されているために関節部材６１は図示矢印方向に湾曲する。これにより、図６に示すように照明シート部３０を撓ませ、その状態を維持させることができる。また、照明シート部３０が撓んだ状態から略平坦な状態へは、通電を断てば、常温に戻り自重で略平坦となる。
【００６６】
なお、図８に示すようなワイヤ状の形状記憶合金６６をアーム部材６０の駆動に用いる場合は、アーム部材６０を左右に２つ設けることが好ましい。２つ設け、それぞれを独立して通電制御することで、上述のものと同様に照明シート部３０を任意に、ねじった状態にもすることができるようになる。また、アーム部材６０を、照明シート部３０と基体部１０の間に配置した例で説明したが、これに限らず照明シート部３０の外側に配置してもよい。また、多関節のフレキシブルなアーム部材として、ボールジョイントを連設したような構成であってもよい。
【００６７】
図９は、撓み維持部材の第３の形態を示す図である。図９（ａ）は照明ＯＦＦ時の状態、図９（ｂ）は照明ＯＮ時の状態を示している。同図に示す第３の形態は、照明シート部３０の外側にワイヤ状の形状記憶合金６６を配置したものである。
【００６８】
同図に示すように、２つのワイヤ状の形状記憶合金６６ａ、６６ｂが、照明シート部３０に固着された中間部材６８を貫通し滑車６７を介して張架されている。
【００６９】
同図（ａ）に示す状態で、形状記憶合金６６ａ、６６ｂに通電を行うと、形状記憶合金６６ａ、６６ｂが自身の発する熱により高温となり収縮し、同図（ｂ）に示すように照明シート部３０を撓ませることができる。また、同図（ｂ）に示す状態で停止させるには、形状記憶合金６６ａ、６６ｂの放熱と発熱が均衡するように通電量を制御すればよい。また、照明シート部３０が撓んだ状態から略平坦な状態へは、通電を断てば、常温に戻り自重で略平坦となる。また、形状記憶合金６６ａ、６６ｂそれぞれを独立して通電制御することで、上述のものと同様に照明シート部３０を任意に、ねじった状態にもすることができるようになる。
【００７０】
図１０は、撓み維持部材の第４の形態を示す図である。図１０（ａ）は照明ＯＮ時の状態、図１０（ｂ）は照明ＯＦＦ時の状態を示している。
【００７１】
同図に示す第４の形態は、照明シート部３０の外側に、初期状態が撓んだ状態の板状部材７１を配置したものである。
【００７２】
板状部材７１の初期状態を撓んだ状態に形成するには、例えば薄い樹脂板を熱変形させることで行うことができる。
【００７３】
同図（ｂ）に示すような照明ＯＦＦ時、すなわち照明器具１が全体として平板状の形態とするには、板状部材７１の初期状態が撓んだ状態のため、略平坦とするために必要な力より大きな磁力を有する磁石４５（図２（ｃ）参照）が用いられ、該磁力でロックされる。或いは、図３に示すような機構を用いる場合には、突起部４１ｔを機械的にロックできる機構が付加される。
【００７４】
同図（ｂ）に示す照明ＯＦＦ状態から同図（ａ）に示す照明ＯＮ状態へは、上記の磁石によるロックを、手を用いてシート束ね部４０と基体部１０を離間させればよい。この後は、板状部材７１が自身で初期状態の撓んだ状態となる。また、機械的にロックされている場合には、該ロックを手を用いてはずせばよい。照明ＯＮ状態から照明ＯＦＦ状態へは、磁石の場合は手を用いてシート束ね部４０と基体部１０を近接させればよい。また、機械的にロックする場合には、シート束ね部４０をロック位置まで押圧すればよい。
【００７５】
更に、撓み維持部材の第５の形態を、図１０を用いて説明する。第５の形態は、図１０に示す初期状態が撓んだ状態の板状部材７１の代わりに、電極接合型イオン導電性高分子アクチュエータ（ＩＣＰＦアクチュエータ）又はバイモルフ型板状アクチュエータを用いるものである。
【００７６】
ＩＣＰＦアクチュエータは、パーフルオロスルホン酸（ＰＦＳ）の両面に白金又は金の電極膜を無電解メッキし、その両面の電極膜に電圧を印加することにより屈曲させるものである。
【００７７】
このＩＣＰＦアクチュエータの両面の電極膜に電圧を印加することにより屈曲させ、図１０（ａ）に示すように、照明シート部３０を撓ませてもよい。また、通電を断つことにより図１０（ｂ）に示すような、全体として略平坦な状態とすることができる。
【００７８】
また、バイモルフ型板状アクチュエータは、イオン交換樹脂膜に一対又は複数対の金属薄膜を形成したものであり、両面の金属薄膜に電圧を印加することにより屈曲させるものである。
【００７９】
このような、バイモルフ型板状アクチュエータを用いても、ＩＣＰＦアクチュエータと同様に、両面の金属薄膜に電圧を印加することにより屈曲させ、図１０（ａ）に示すように、照明シート部３０を撓ませてもよい。また、通電を断つことにより図１０（ｂ）に示すような、全体として略平坦な状態とすることができる。
【００８０】
図１１は、本実施の形態に係る照明器具１に付加される機能例を示す図である。図１１（ａ）は照明ＯＦＦ時の斜視図、図１１（ｂ）は照明ＯＮ時の斜視図である。
【００８１】
図１１に示す照明器具１は、光源部カバー２１の表面に時計を配置してある。このように、照明機能のみならず、時計、温度計、湿度計等を付加してもよい。
【符号の説明】
【００８２】
１  照明器具
１０  基体部
１１  ベース部材
１１ａ  穴部
１２  スイッチ切片
１３  基板
１４、１５  磁性体
１６  圧縮コイルバネ
１７  軸
２０  光源部
２１  光源部カバー
２２  ＬＥＤ
２３  スペーサ
２４、２５  固定部材
３０  照明シート部
３１  反射シート
３１ａ  反射面
３２  導光シート
３２ａ  拡散反射部
３３  拡散シート
４０  シート束ね部
４１  束ね部材
４１ｔ、４２ｔ  突起部
４２  保持部材
４４  固定部材
４５  磁石
５１  棒状部材
５２  磁石
６０  アーム部材
６１  関節部材
６２  抓み部材
６３  ワイヤ
６４  引っ張りコイルバネ
６５  ストッパ
６６、６６ａ、６６ｂ  形状記憶合金
６７  滑車
７１  板状部材
８０  磁性体
【図１】
2012064441.tif 000003
【図２】
2012064441.tif 000004
【図３】
2012064441.tif 000005
【図４】
2012064441.tif 000006
【図５】
2012064441.tif 000007
【図６】
2012064441.tif 000008
【図７】
2012064441.tif 000009
【図８】
2012064441.tif 000010
【図９】
2012064441.tif 000011
【図１０】
2012064441.tif 000012
【図１１】
2012064441.tif 000013